(57)【要約】【課題】化粧部材が自然石平板のような高重量物であっても、高能率かつ安全に化粧張りを施すことができ、仕上がり状態が良い化粧張り施工装置を提供する。【解決手段】化粧張り施工対象の躯体に固定する上下の化粧部材１を支持する横バタ部材２と、前記化粧部材に一端を掛止する掛止部３ａを有し他端に前記横バタ部材を押圧調整支持可能な押圧ボルト部３ｂとを有するセパレータ３とからなり、横バタ部材２がセパレータ３の挿通間隙４をあけて上下に設けたＬ型材からなり、該横バタ部材２に化粧部材１への押圧脚部を設け、セパレータの掛止部３ａが押圧ボルト部端の拡径頭部であり、化粧部材１に設けた掛止溝６に掛止するようにした化粧張り施工装置である。【選択図】　　　　図２
2004044178.tif 000002
【特許請求の範囲】
【請求項１】
化粧張り施工対象の躯体に固定する上下の化粧部材を支持する横バタ部材と、前記化粧部材に一端を掛止する掛止部を有し他端に前記横バタ部材を押圧調整支持可能な押圧ボルト部とを有するセパレータとからなる化粧張り施工装置。
【請求項２】
横バタ部材がセパレータの挿通間隙をあけて上下に設けたＬ型材からなる請求項１記載の化粧張り施工装置。
【請求項３】
横バタ部材に化粧部材への押圧脚部を設けてなる請求項１又は２記載の化粧張り施工装置。
【請求項４】
セパレータの掛止部が押圧ボルト部端の拡径頭部であり、化粧部材に設けた掛止溝に掛止するようにした請求項１又は２記載の化粧張り施工装置。
【請求項５】
押圧脚部の化粧部材との接触部に弾性体を設けた請求項３記載の化粧張り施工装置。
【請求項６】
化粧部材が自然石である請求項１，３，４又は５のいずれかに記載の化粧張り施工装置。
【請求項７】
セパレータの押圧ボルト部の化粧部材内位置に可切断部を設けた請求項１，２又は４記載の化粧張り施工装置。
【請求項８】
押圧ボルト部の可切断部が溝又は切欠きである請求項７記載の化粧張り施工装置。
【発明の詳細な説明】
【０００１】
【発明の属する技術分野】
本発明は、躯体表面に自然石張り等の化粧張りを施す際に用いる化粧張り施工装置に関する。
【０００２】
【従来の技術】
躯体内部がコンクリートで表面に自然石平板の化粧部材によって化粧張りを施すと審美性に富むと共に景観上好ましいものとなるため、種々の工法が実施されている。例えば、特開平５−１３３０７０号では目地部に重ね代を形成して化粧材をアンカーピン等の金具で固定したり、特開平１１−２２１４５号のように上下に複数の化粧材を帯板等で一体化し、取付け具によって一括して壁面に施工している例がみられる。また、特開平９−１７７１０１号のように施工対象の躯体を形成するためのコンクリート打ちに先駆けて、背面の型枠と表面の自然石平板間に長い棒状のセパレータを用いる例もみられる。
【０００３】
【発明が解決しようとする課題】
しかし、自然石平板は高重量であるから、特開平５−１３３０７０号のように手軽にアンカーピン等の金具で固定したり、特開平１１−２２１４５号のように複数の化粧材を帯板等で一体化し、取付け具によって一括して壁面に施工するといった施工法は現実的でない。また、特開平９−１７７１０１号のように背面の型枠と表面の自然石平板間にセパレータを用いる施工は、長尺かつ壁厚に合った長さのセパレータを各種サイズで必要としている。
【０００４】
そこで、本発明者は、化粧部材が自然石平板のような高重量物であっても、高能率かつ安全に化粧張りを施すことができ、しかも施工費が安価であり、かつ仕上がり状態が良い化粧張り施工装置について検討した。
【０００５】
【課題を解決するための手段】
上記課題を検討した結果、化粧張り施工対象の躯体に固定する上下の化粧部材を支持する横バタ部材と、前記化粧部材に一端を掛止する掛止部を有し他端に横バタ部材を押圧調整支持可能な押圧ボルト部とを有するセパレータとからなる化粧張り施工装置とした。
【０００６】
具体的には、横バタ部材はセパレータを挿通することができる間隙をあけて上下に設けたＬ型部材の端部を溶接して所定間隔をあけて設けるのが好ましく、その他、セパレータを挿通することができる間隙をあけてチャンネル型材を上下に同様に用いるとか、短冊状板材に長孔を設けた構造であっても構わない。
【０００７】
横バタ部材には化粧部材への押圧脚部を設けると、各化粧部材の表面を好適に押圧することができる。この押圧脚部の化粧部材との接触部に弾性体を設けると、化粧部材の表面を傷付けることなく、しかも、ズレを防止することができる。
【０００８】
セパレータの掛止部は、押圧ボルト部の一端に拡径頭部として設けるのがよく、化粧部材に設けた掛止溝に掛止するようにすることが好ましい。
【０００９】
化粧部材として、従来の施工方法では取り扱いが困難であった高重量かつ表面が傷付き易い自然石の平板張りに本発明の装置を用いると好適である。
【００１０】
セパレータの押圧ボルト部の化粧部材内側部位に可切断部を設けるとよい。押圧ボルト部の可切断部は溝又は切欠きが好ましい。セパレータの押圧ボルト部にこのような可切断部を設けると、各化粧部材を固定し終えた後に、目地塗りする前にセパレータの押圧ボルト部を可切断部から折って取り除くことができ、目地塗りを終えた後に内部に残存する押圧ボルト部の一端の拡径頭部等が見えなくなる特徴が得られる。
【００１１】
【発明の実施の形態】
図１は本発明の化粧張り施工装置を用いて自然石の平板張りを行う様子を示す斜視図であり、図２は図１中Ａ部拡大図、図３は正面図である。これらの図にみられるように、化粧張り施工対象の躯体１０に固定する上下の化粧部材１，１を横バタ部材２によって支持する。横バタ部材２は、セパレータ３を挿通することができるだけの間隙４をあけて、Ｌ型部材２ａ，２ｂを上下に背中合わせで端部を溶接して設けている。
【００１２】
セパレータ３は前記化粧部材１に一端を掛止する掛止部３ａを有し他端に横バタ部材２を押圧調整支持可能な押圧ボルト部３ｂとを有する。押圧ボルト部３ｂの先端のねじ部をナット５で締め付ける構造である。セパレータ３の基部の掛止部３ａは、矩形の拡径頭部となっている。
【００１３】
上下の石材製化粧部材１，１には掛止溝６，６を設けており、この掛止溝６，６の任意な位置へ前記セパレータ３の基部の掛止部３ａを掛止することができる。
【００１４】
また、横バタ部材２には化粧部材１への押圧脚部７ａ，７ｂを設けている。押圧脚部７ａ，７ｂは、この例では横バタ部材２のＬ型部材２ａ，２ｂに螺入しており、各化粧部材の表面を好適に押圧することができる。この押圧脚部７ａ，７ｂの化粧部材１との接触部に弾性体を設けており、化粧部材の表面に傷付けることなく、しかも、ズレを防止することができるようにしている。
【００１５】
この横バタ部材２は施工面の要部で縦バタ部材１１で支持する。横バタ部材２と縦バタ部材１１とは連結金具１２で緊締している。連結金具１２は横バタ部材２と縦バタ部材１１と化粧部材１間に亘る横向きコ字型金具を用い、締付ねじ１３で締め付けるようにしている。
【００１６】
コンクリート打設等により化粧部材１を一体化した後に、セパレータ３の押圧ボルト部３ｂの先端のねじ部とナット５は、セパレータの押圧ボルト部の化粧部材内側部位に設けた可切断部８から折って取り除いてしまうことによって取り除くことができる。その後に目地をセメント等で埋めてしまうとセパレータ３の残留部分が隠れてしまい、良好に仕上がる。可切断部８は曲げると折れる溝に形成している。
【００１７】
【発明の効果】
本発明は、予め作業場等で化粧部材に掛止溝を設けておくので、施工現場では縦バタ部材に固定される横バタ部材にアンカーで組み付ける作業となり、化粧部材が自然石平板のような高重量物であっても、正確に高能率で化粧張り面を施工することができる。安全に化粧張りできる上に、市販のアンカーの使用が可能で安価に施工できる。しかも、仕上がり状態が良い。
【００１８】
化粧部材として、従来の施工方法では取り扱いが困難であった高重量かつ表面が傷付き易かったり、ひび割れの生ずるおそれのある自然石の平板張りに本発明の装置を用いると好適である。
【図面の簡単な説明】
【図１】本発明の化粧張り施工装置を用いて自然石の平板張りを行う様子を示す斜視図である。
【図２】図１中Ａ部拡大図である。
【図３】自然石の平板張りを行っている場合の正面図である。
【符号の説明】
１　化粧部材
２　横バタ部材
２ａ，２ｂ　Ｌ型部材
３　セパレータ
３ａ　セパレータ基部の掛止部
３ｂ　セパレータの押圧ボルト部
４　間隙
５　ナット
６　掛止溝
７ａ，７ｂ　押圧脚部
８　可切断部
１０　化粧張り施工対象の躯体
１１　縦バタ部材
１２　連結金具
１３　締付ねじ
【図１】
2004044178.tif 000003
【図２】
2004044178.tif 000004
【図３】
2004044178.tif 000005